(57)【要約】【課題】広範囲な状況下で駆動用電池を充電することができる利便性の高い充電装置を提供する。【解決手段】商用電源から電力を取得する電力取得手段および充電用電池を保持する電池保持手段を設ける。また商用電源から取得した電力および充電用電池の電力のどちらか一方の電力を駆動用電池に導く送電手段を設ける。これによって商用電源からの電力の取得および充電用電池の入手の少なくとも一方が可能な状況下であればよい広範囲な状況下での駆動用電池の充電が可能であり、充電作業に関する制限が少なくなり、便利性を高くすることができる。【選択図】      図１
2004343969.tif 000002
【特許請求の範囲】
【請求項１】
充電対象物を充電する装置であって、
商用電源から電力を取得するための電力取得手段と、
充電用電池を着脱可能に保持する電池保持手段と、
商用電源から電力が取得される場合、その取得される電力を充電対象物に導くことができ、充電用電池が保持される場合、充電用電池の電力を充電対象物に導くことができる送電手段とを含むことを特徴とする可搬形充電装置。
【請求項２】
充電対象物が着脱可能な可搬形充電装置であって、
充電対象物が可搬形充電装置に装着される状態で、充電対象物に電気的に接続される対象充電端子部に、接続解除可能に電気的に接続される装置充電端子部と、
商用電源に接続可能であり、商用電源に接続される状態で、充電対象物を充電するための電力を、商用電源から取得する電力取得手段と、
充電対象物を充電するための電力を供給する充電用電池を着脱可能に保持する電池保持手段と、
電力取得手段によって商用交流電源から電力が取得される場合、商用交流電源から取得した電力を、装置充電端子部に導くことができ、電池保持手段によって充電用電池が保持される場合、充電用電池に蓄えられている電力を、装置充電端子部に導くことができる送電手段とを含むことを特徴とする可搬形充電装置。
【請求項３】
送電手段は、電力取得手段が連結および連結解除可能に構成され、電力取得手段が連結された状態で、充電対象物へ電力を導く導電路を電力取得手段に電気的に接続し、電力取得手段が連結解除された状態で、前記導電路を電池保持手段に電気的に接続するように接続状態を切換えることを特徴とする請求項１または２に記載の可搬形充電装置。
【発明の詳細な説明】
【０００１】
【発明の属する技術分野】
本発明は、充電対象物を充電する装置に関し、利用者が任意の場所に持ち運ぶことができる可搬形充電装置に関する。
【０００２】
【従来の技術】
従来の技術の充電装置は、装置充電端子が設けられており、商用交流電源から電力を取得して装置充電端子に導くことができるように構成されている。この充電装置は、充電可能な電池を内蔵する機器が装着できるように構成され、機器が装着された状態で、機器の駆動用電池に接続された機器充電端子と装置充電端子とが接続される。このような構成によって商用交流電源から取得した電力を機器の駆動用電池に与えて充電することができる（たとえば、特許文献１参照）。
【０００３】
【特許文献１】
特開２００１−５２７６１号公報
【０００４】
【発明が解決しようとする課題】
このような従来の技術では、充電装置は、商用交流電源から電力を取得して、駆動用電池を充電しているので、充電装置が商用交流電源から電力を取得することができる状況下でしか充電することができない。このように従来の充電装置は、充電することができる状況下が制限され、利便性が低い。
【０００５】
したがって本発明の目的は、広範囲な状況下で充電対象物を充電することができる利便性の高い充電装置を提供することである。
【０００６】
【課題を解決するための手段】
本発明は、充電対象物を充電する装置であって、
商用電源から電力を取得するための電力取得手段と、
充電用電池を着脱可能に保持する電池保持手段と、
商用電源から電力が取得される場合、その取得される電力を充電対象物に導くことができ、充電用電池が保持される場合、充電用電池の電力を充電対象物に導くことができる送電手段とを含むことを特徴とする可搬形充電装置である。
【０００７】
本発明に従えば、電力取得手段は、商用電源から電力を取得することができる。電池保持手段は、充電用電池を着脱可能に保持することができる。送電手段は、電力取得手段によって電力が取得できる場合、その電力を充電対象物に導くことができる。また送電手段は、充電用電池が保持されている場合、充電用電池の電力を充電対象物に導くことができる。
【０００８】
これによって、前記電力取得手段によって商用電源から電力を取得して充電対象物を充電することができるとともに、充電用電池を保持することによって、前記充電用電池を利用して充電対象物を充電することができる。したがって、商用電源からの電力の取得および充電用電池の入手のうち少なくともいずれか一方が可能な状況下では、充電対象物を充電することができ、広範囲な状況下での充電が可能になる。さらに商用電源からの電力の取得および充電用電池の入手の両方が可能な状況下では、商用電源および充電用電池のいずれを利用するか選択することができる。
【０００９】
また本発明は、充電対象物が着脱可能な可搬形充電装置であって、
充電対象物が可搬形充電装置に装着される状態で、充電対象物に電気的に接続される対象充電端子部に、接続解除可能に電気的に接続される装置充電端子部と、
商用電源に接続可能であり、商用電源に接続される状態で、充電対象物を充電するための電力を、商用電源から取得する電力取得手段と、
充電対象物を充電するための電力を供給する充電用電池を着脱可能に保持する電池保持手段と、
電力取得手段によって商用交流電源から電力が取得される場合、商用交流電源から取得した電力を、装置充電端子部に導くことができ、電池保持手段によって充電用電池が保持される場合、充電用電池に蓄えられている電力を、装置充電端子部に導くことができる送電手段とを含むことを特徴とする可搬形充電装置である。
【００１０】
本発明に従えば、充電装置には装置充電端子部が設けられ、対象充電端子部に電気的に接続することができる。装置充電端子部には、電力取得手段によって商用電源から取得した電力を、送電手段を用いて導くことができるとともに、電池保持手段によって保持された充電用電池から電力を、送電手段を用いて導くことができる。このように充電装置に充電対象物を装着して、商用電源から取得して電力および充電電池の電力を機器に与えて、充電対象物に充電することができる。
【００１１】
このように充電装置では、商用電源からの電力の取得および充電用電池の入手のうち少なくともいずれか一方が可能な状況下で、装置充電端子部に電力を導くことができ、広範囲な状況下で充電することが可能になる。さらに、商用電源から電力の取得および充電用電池の入手の両方が可能な状況下では、商用電源および充電用電池のいずれを利用するか選択することができる。
【００１２】
また本発明は、送電手段は、電力取得手段が連結および連結解除可能に構成され、電力取得手段が連結された状態で、充電対象物へ電力を導く導電路を電力取得手段に電気的に接続し、電力取得手段が連結解除された状態で、前記導電路を電池保持手段に電気的に接続するように接続状態を切換えることを特徴とする。
【００１３】
本発明に従えば、送電手段に電力取得手段を連結解除可能に連結することができる。送電手段に電力取得手段が連結された状態では、電力取得手段によって、商用電源から電力を取得して充電対象物を充電することができる。また送電手段から電力取得手段が連結解除された状態では、充電用電池を利用して充電対象物を充電することができる。このように電力取得手段が連結および連結解除されることによって、充電対象物との電気的な接続を電力取得手段および電池保持手段のうちどちらに接続するかを切換えて、充電対象物を充電することができる。したがって電力取得手段の送電手段に対する連結および連結解除の操作をすることによって、商用電源および充電用電池のいずれを利用して充電するかを選択することができる。また商用電源から取得される電力および充電用電池から取得される電力が一緒に充電対象物に導かれることを防ぐことができる。さらに商用電源から取得した電力が充電用電池に導かれてしまうことを防ぐことができる。
【００１４】
前述の各本発明において、充電用電池は、一次電池であってもよいし、二次電池であってもよい。
【００１５】
【発明の実施の形態】
図１は、本発明の実施の一形態の充電装置１を示す断面図である。図２は、交流直流変換アダプタ４が連結解除された装置本体５を示す断面図である。図３は、充電装置１の全体を示す正面図である。充電装置１は、可搬形充電装置であって、利用者が任意の場所に持ち運ぶことができる。充電装置１は、持ち運んだ先で機器３を装着し、機器３に保持されている駆動用電池２を充電するために用いられる。駆動用電池２は、充電対象物であり、二次電池である。
【００１６】
機器３は、駆動用電池２と電気的に接続されている機器充電端子１１を有しており、この機器充電端子１１に電力を供給することによって駆動用電池２を充電することができる。また機器充電端子１１は、正極側機器充電端子片１１ａおよび負極側機器充電端子片１１ｂを有する。正極側機器充電端子片１１ａは、駆動用電池２の正極と電気的に接続されている。負極側機器充電端子１１ｂは、駆動用電池２の負極と電気的に接続されている。
【００１７】
機器３は、直流電源作動機器であって、直流電源である駆動用電池２から供給される電力によって作動する。この機器３は、利用者が持ち運ぶことができる可搬形の機器であり、たとえばポータブルミニディスクプレーヤおよびポータブルコンパクトディスクプレーヤなどの情報記録再生装置である。
【００１８】
充電装置１は、装置本体５と交流直流変換アダプタ（以下「ＡＣアダプタ」という場合がある）４とを有する。装置本体５は、ハウジング１９と装置充電端子６と電池保持手段２０と送電手段２１とを有する。
【００１９】
ハウジング１９は、電池保持手段２０および送電手段２１を内方に収納することができるように形成されている。またハウジング１９は、略直方体状の筺体であり、一側部２９に凹部１８が形成されている。また、凹部１８は、一側方に開放している。この凹部１８に機器３の一部を嵌合させて、装着することができる。装着された機器３は、凹部１８に保持される。また凹部１８は、その底部２８に、ハウジング１９の内外方向に貫通する、たとえば２つの貫通孔２３を有する。各貫通孔２３は、前記一側方に開放している。
【００２０】
またハウジング１９は、ジャック孔部２４を有する。ジャック孔部２４は、ハウジング１９の前記一側部とは異なる他の側部３０に設けられている。ジャック孔部２４は、ジャック孔２４ａを有する。ジャック孔２４ａは、ハウジング１９を内外方向に貫通するように形成されている。
【００２１】
装置充電端子部である装置充電端子６は、導電性材料から成る正極側装置充電端子片６ａおよび負極側装置充電端子片６ｂを有している。各端子片６ａ，６ｂは、凹部１８付近に配置され、部分的に貫通孔２３を挿通して凹部１８内の空間であるハウジング１９の外方に突出するように、ハウジング１９内に設けられている。正極側装置充電端子片６ａは、凹部１８に機器３が保持されることによって、正極側機器充電端子片１１ａと当接し、電気的に接続することができるように形成されている。負極側装置充電端子片６ｂは、凹部１８に機器３が保持されることによって、負極側機器充電端子片１１ｂと当接し、電気的に接続することができるように形成されている。
【００２２】
電池保持手段２０は、ハウジング１９の内方に設けられている。電池保持手段２０は、送電手段２１と電気的に接続されている。電池保持手段２０は、ハウジング１９内で充電用電池１２を保持することができるように形成されている。充電用電池１２は、一次電池でも二次電池でもよい。
【００２３】
送電手段２１は送電手段正極端子１４、送電手段負極端子１５および送電手段接片１６を有する。送電手段正極端子１４、送電手段負極端子１５および送電手段接片１６は導電性材料から成る。送電手段正極端子１４、送電手段負極端子１５および送電手段接片１６は、ジャック孔２４ａに臨むように設けられている。また送電手段負極端子１５は、弾発的に変形できるように形成されている。送電手段正極端子１４、送電手段負極端子１５および送電手段接片１６は、自然状態において送電手段負極端子１５と送電手段接片１６とがお互いに当接して電気的に接している。また送電手段正極端子１４と送電手段負極端子１５および送電手段接片１６とは、離間した間柄であり、電気的に非接続状態にある。
【００２４】
また送電手段２１は、導電性材料から成る導電路１７を有する。導電路１７は第１導電路部分２５、第２導電路部分２６および第３導電路部分２７を有しており、ハウジング１９の内方に設けられている。第１導電路部分２５の一端部は、正極側装置充電端子片６ａと電気的に接続されている。また第１導電路部分２５の他端部は、送電手段正極端子１４と電気的に接続されている。第２導電路部分２６の一端部は、負極側装置充電端子片６ｂと電気的に接続されている。また第２導電路部分２６の他端部は、送電手段負極端子１５と電気的に接続されている。第３導電路部分２７は、第１導電路部分２５の中間から分岐するように形成されている。また第３導電路部分２７の端部は、送電手段接片１６に電気的に接続されている。さらに第３導電路部分２７の中間において電池保持手段２０が介在している。
【００２５】
このような送電手段２１は、ＡＣアダプタ４によって取得される電力を装置充電端子６に導く商用電源電力供給回路を形成することができる。また送電手段２１は、電池保持手段２０に保持された充電用電池１２の電力を装置充電端子６に導く電池電力供給回路を形成することができる。
【００２６】
電力取得手段であるＡＣアダプタ４は、アダプタコネクタ７、ジャック９、コード１０およびＡＣアダプタ本体８を有する。アダプタコネクタ７は、商用交流電源に電気的に接続されている商用交流電源コネクタ１３と電気的に接続できるように構成されている。
【００２７】
ジャック９は、ジャック孔２４ａに嵌挿してジャック孔部２４と機械的に連結および連結解除できるように形成されている。またジャック９は、ジャック孔部２４と機械的に連結することによって送電手段正極端子１４および送電手段負極端子１５と電気的に接続することができるように形成されている。
【００２８】
アダプタコネクタ７およびジャック９は、コード１０によって電気的に接続されている。またＡＣアダプタ本体８は、交流を直流に変換できる機器であって、コード１０の中途部に介在されている。ＡＣアダプタ４は、アダプタコネクタ７を交流電源コネクタ１３に電気的に接続することによって、商用交流電源から電力を取得することができる。また取得した電力は、ＡＣアダプタ本体８で直流に変換され、コード１０を介してジャック９に導くことができる。
【００２９】
ジャック９は、前述のようにジャック孔部２４と連結解除可能に連結することができる。図２に示されるようにジャック孔部２４からジャック９が離脱されると、送電手段正極端部１４、送電手段負極端子１５および送電手段接片１６は、自然状態になる。これによって送電手段接片１６は、送電手段負極端子１５と当接して電気的に接続される。また送電手段接片１６が送電手段負極端子１５と当接することによって、導電路１７によって形成される電池電力供給回路が閉じ、充電用電池１２を装置充電端子６に導く商用電源電力供給回路が開く。
【００３０】
図１に示されるようにジャック９がジャック孔部２４に連結されると、ジャック９によって送電手段負極端子１５が送電手段接片１６から離間する方向に弾発的に変形される。これによって導電路１７によって形成される電池電力供給回路が開くとともに、商用電源電力供給回路が閉じる。
【００３１】
図４は、電池保持手段２０の具体的構成の一例を示す断面図である。電池保持手段２０は、充電用電池１２を収容した状態で、その充電用電池１２を保持する保持手段本体３１と保持手段本体３１に設けられる電池正極端子３２と電池負極端子３３と蓋体３４とを有している。
【００３２】
保持手段本体３１は、一方向に開放する筺体である。ハウジング１９の凹部１８が形成される側と反対側にハウジング１９の内外方向に貫通する電池着脱孔３５が形成されている。保持手段本体３１は、ハウジング１９の内方に配置されて、電池着脱孔３５を介してハウジング１９の外部に開放するようにハウジング１９に設けられている。この保持手段３１は、ハウジング１９と一体に形成されてもよいし、別体に形成されて接着またはねじ部材などの締結具を用いて固定される構成であってもよい。
【００３３】
各端子３２，３３は、導電性材料から成り、保持手段本体３１の相互に対向する内表面部に設けられている。図２に示すような送電手段接片１６が送電手段負極端子１５に当接して、電池電力供給回路が閉じる状態で、電池正極端子３２は、正極側装置充電端子片６ａに電気的に接続され、電池負極端子３３は、負極側装置充電端子片６ｂに電気的に接続されるように設けられている。さらに詳細に述べると、第３導電路部分２７は、第１導電路部分２５に接続される第４導電路部分２７ａと接片１６に接続されている第５導電路部分２７ｂとを有する。第４導電路部分２７ａは、一端部が第１導電路部分２５に電気的に接続され、他端部に電池正極端子３２が電気的に接続されるように設けられている。第５導電路部分２７ｂは、一端部が送電手段接片１６に電気的に接続され、他端部に電池負極端子３３が電気的に接続されるように設けられている。このようにして電池保持手段２０が送電手段２１に電気的に接続されている。
【００３４】
保持手段本体３１内に充電用電池１２を収容することによって充電用電池１２の正極端子部４７が電池正極端子３２に弾発的に当接して電気的に接続され、充電用電池１２の負極端子部４８が電池負極端子３３に弾発的に当接して電気的に接続されている。電池充電回路を介して充電用電池１２の正極端子部４７が正極側装置充電端子部６ａと電気的に接続され、充電用電池１２の負極端子部４８が負極側装置充電端子部６ｂと電気的に接続されている。
【００３５】
ハウジング１９には電池着脱孔３５を開閉可能に塞ぐ蓋体３４が設けられ電池保持手段本体３１の内部の空間を塞ぐことができる。この蓋体３４には、充電用電池１２が前述のように電池正極端子３２および電池負極端子３３の各端子に電気的に接続される正位置に保持された状態で、充電用電池１２に当接して前記正位置から変位することを阻止する変位阻止片３６が形成されている。このようにして充電用電池１２を装置充電端子６に電力供給可能状態に保持することができる。
【００３６】
図５は、ジャック９がジャック孔部２４に連結された状態で、ジャック孔部２４の具体的構成の一例を示す断面図である。図６は、図５のジャック孔部２４を、ジャック９がジャック孔部２４から連結解除された状態で示す断面図である。ジャック孔部２４には、有底筒状のジャック保持ケース４２がジャック孔２４ａに嵌り込んだ状態で設けられている。
【００３７】
そのジャック保持ケース４２は、電気絶縁材料から成り、開放端側をハウジング１９の外方に向けて配置され、開放端部に形成される外向きフランジ３７で、ハウジング１９に固定されている。ジャック保持ケース４２の底部３９には、軸線に沿って貫通する貫通孔３９が形成されているとともに、周壁部４３に半径方向に貫通する貫通孔４０が形成されている。
【００３８】
このようなジャック保持ケース４２には、ジャック９が嵌り込み、ジャック９を半径方向外方から弾性的に挟持して保持することができる。ジャック９は、先端側の接続部９ａと後端側の接続部９ａの外径よりも大きい外径を有する把持部９ｂとを有し、把持部９ｂ側でコード１０につながっている。このジャック９は、接続部９ａをジャック保持ケース４２内に嵌り込ませ、把持部９ｂがジャック保持ケース４２のフランジ３７に当接して位置決めされた状態で連結される。
【００３９】
このように連結された状態で接続部９ａの外周部は、ジャック保持ケース４２の周壁部４３に貫通孔４０に臨んでいる。また接続部９ａは、筒状に形成され、内周部にジャック正極端子４５を有し、外周部に外周部を覆うジャック負極端子４６を有している。この各端子４５，４６は、コード１０と電気的に接続されている。
【００４０】
ジャック保持ケース４２の底部３９に形成されている送電手段正極端子挿通孔３８には、送電手段正極端子１４が部分的に挿通してジャック保持ケース３７の内方に挿入されて設けられている。送電手段負極端子１５の先端部４１は、鈎状に形成されており、ジャック保持ケース４２の周壁部４３に形成される送電手段負極端子挿通孔４０を挿通してジャック保持ケース４２に部分的に挿入される。
【００４１】
図６に示すようにジャック９が連結解除されている状態では、送電手段負極端子１５が外力の作用していない自然状態にあり、送電手段負極端子１５と送電手段接片１６とが当接して電気的に接続されている。図５に示すようにジャック９が連結されている状態では、ジャック９の接続部９ａによって送電手段負極端子１５の先端部４１が半径方向外方に押圧されて、弾発的に変形されて、送電手段負極端子１５と送電手段接片１６とが離間し、電気的に接続が解除される。この状態で、送電手段正極端子１４が接続部９ａの内方に挿入され、接続部９ａのジャック正極端子４５と送電手段正極端子１４とが当接し、電気的に接続され、接続部９ａのジャック負極端子４６と送電手段負極端子１５の先端部４１とが弾発的に当接して電気的に接続される。
【００４２】
図７は、装置充電端子６付近の具体的構成の一例を示す断面図である。正極側装置充電端子片６ａおよび負極側装置充電端子片６ｂは、先端部４４が鈎状に形成されている。またこれら各端子片６ａ，６ｂは、弾発的に変形可能に形成され、ハウジング１９から突出量が変化するように突出した部分がハウジング１９内方に向けて退避するように変形することができる。
【００４３】
機器３が凹部１８から装着解除されている状態では、装置充電端子６が外力の作用していない自然状態にあり、装置充電端子６の先端部４４が部分的に凹部１８内方の空間に突出している。機器３が凹部１８に装着されている状態では、装置充電端子６が機器充電端子１１に当接して電気的に接続され、弾発的に変形される。
【００４４】
充電装置１において、装置本体５にＡＣアダプタ４を連結することによって送電手段正極端子１４および送電手段負極端子１５がＡＣアダプタ４と電気的に接続され、商用電源電力回路が閉じる。装置本体５の凹部１８に機器３を装着し、商用交流電源から電力を取得することによって商用電源電力供給回路を介して商用交流電源から取得した電力を駆動用電池２に導き、充電することができる。また充電装置１において、装置本体５からＡＣアダプタ４を連結解除し、充電用電池１２を電池保持手段２０に保持することによって電池電力供給回路が閉じる。装置本体５の凹部１８に機器３を装着することによって充電用電池１２が電池電力供給回路を介して駆動用電池２に電力を供給し充電することができる。
【００４５】
従来の充電装置では、商用交流電源から電力を取得しなければ駆動用電池を充電することができなかったけれども、充電装置１は、商用交流電源がない場所、たとえば屋外であっても、充電用電池１２が入手可能な状況下であれば駆動用電池２を充電することができる。また充電装置１は、商用交流電源コネクタ１３とＡＣアダプタコネクタ７との規格が合わない海外においても、充電用電池１２が入手可能な状況下であれば駆動用電池２を充電することができる。したがって充電用電池１２が入手可能な状況下であれば、商用交流電源から電力を取得できる範囲よりも広範囲で駆動用電池２を充電することができる。また、充電用電池１２が入手可能な状況、かつ商用交流電源から電力を取得できる状況では、利用者が選択して駆動用電池２を充電することができる。入手とは、購入してもよいし、自分で保持しててもよく、充電用にあてがってもよい。駆動用電池２を充電するために用意することである。
【００４６】
ＡＣアダプタ４を装置本体５と連結および連結解除することによって商用電源電力供給回路と電池電力供給回路とを切換え可能となるので、選択作業が容易になり、利便性を向上することができる。また商用電源電力供給回路では、送電手段接片１６が送電手段負極端子１５から当接解除されるので、ＡＣアダプタ４によって取得された電力と充電用電池１２から供給される電力が一緒に駆動用電池２に導かれることを防ぐことができ、充電用電池１２の電力が中途半端に使用されることを防ぐことができる。またＡＣアダプタ４によって取得された電力を充電用電池１２に導き、充電用電池１２に悪影響を及ぼすことを防ぐことができる。
【００４７】
導電路２７を設けて、その中途部分に電池保持手段２０を介在させるだけの簡単な構成によって、商用電源から取得した電力および充電用電池の電力を用いて、駆動用電池２を充電することができる充電装置を実現することができる。
【００４８】
【発明の効果】
本発明によれば、商用電源からの電力の取得および充電用電池の入手の少なくともいずれか一方が可能であればよい広範囲な状況下での充電対象物の充電が可能であり、充電作業に関する制限が少なくなり、利便性を高くすることができる。また商用電源からの電力の取得および充電用電池の入手の両方が可能な状況下では、充電対象物の充電にあたって商用電源および充電用電池のいずれを利用するかについて選択可能であり、これによっても利便性を高くすることができる。
【００４９】
本発明によれば、充電装置から充電対象物を分離することが可能となり、利便性を高くすることができる。また商用電源からの電力の取得および充電用電池の入手の少なくともいずれか一方が可能であればよい広範囲な状況下で充電対象物の充電が可能であり、充電作業に関する制限が少なくなり、利便性を高くすることができる。さらに商用電源から電力の取得および充電用電池の入手の両方が可能な状況下では、充電対象物の充電にあたって商用電源および充電用電池のいずれを利用するかについて選択可能であり、これによっても利便性を高くすることができる。
【００５０】
本発明によれば、商用電源からの電力の取得および充電用電池の入手のうち少なくともどちらか一方が可能な状況下で、充電が可能となり、充電作業に関する制限も少なくなり、利便性が向上される。また電力取得手段を連結および連結解除操作することによって、商用電源および充電用電池のいずれを利用するか切換えが可能となり、商用電源および充電用電池のうち利用する電源の選択作業が容易になり、利便性を向上することができる。また充電対象物に商用電源および充電用電池から一緒に電力が導かれてしまうことを防ぐことができ、充電対象物に悪影響を及ぼすことを防ぐことができるとともに、充電用電池の電力が中途半端に利用されてしまうことも防ぐことができる。また充電用電池に商用電源から取得した電力が導かれてしまうことを防ぐことができ、充電用電池に悪影響を及ぼすことを防ぐことができる。
【図面の簡単な説明】
【図１】本発明の実施の一形態の充電装置１を示す断面図である。
【図２】交流直流変換アダプタ４が連結解除された装置本体５を示す断面図である。
【図３】充電装置１の全体を示す正面図である。
【図４】電池保持手段２０の具体的構成の一例を示す断面図である。
【図５】ジャック９がジャック孔部２４に連結された状態で、ジャック孔部２４の具体的構成の一例を示す断面図である。
【図６】図５のジャック孔部２４を、ジャック９がジャック孔部２４から連結解除された状態で示す断面図である。
【図７】装置充電端子６付近の具体的構成の一例を示す断面図である。
【符号の説明】
１  充電装置
２  駆動用電池
３  機器
４  ＡＣアダプタ
６  装置充電端子
１１  機器充電端子
１２  充電用電池
１３  商用交流電源コネクタ
１７  導電路
２０  電池保持手段
２１  送電手段
【図１】
2004343969.tif 000003
【図２】
2004343969.tif 000004
【図３】
2004343969.tif 000005
【図４】
2004343969.tif 000006
【図５】
2004343969.tif 000007
【図６】
2004343969.tif 000008
【図７】
2004343969.tif 000009